(57)【要約】      （修正有）【課題】ペンケースを机上に置く必要がなく、更に使い勝手に支障をきたさぬよう手の届く範囲に掛止することが出来、掛止の際の取り付け、取り外しの操作が容易である壁面掛止対応ペンケースを提供する。【解決手段】筆記具などを収納するペンケース５において、片面に接着剤等が塗布され、壁面２などに接着して使用するシート状又はプレート状の台座ａ３と１組のスナップボタンとペンケース５とペンケース５に取り付ける台座ｂ６からなり、スナップボタンの雄部４又は雌部７が台座ａ３に取り付けられ、スナップボタンの雄部４又は雌部７と対をなすスナップボタンが台座ｂ６に取り付けられ、１組のスナップボタンを嵌合することでペンケース５を壁面などに掛止する構造を有することを特徴とする。【選択図】図１
2019119189.tif 000002
【特許請求の範囲】
【請求項１】
筆記具などを収納するペンケースにおいて、片面に接着剤等が塗布され、壁面などに接着して使用するシート状又はプレート状の台座ａと１組のスナップボタンとペンケースと該ペンケースに取り付ける台座ｂからなり、該スナップボタンの雄部又は雌部が前記台座ａに取り付けられ、該スナップボタンの雄部又は雌部と対をなすスナップボタンが前記台座ｂに取り付けられ、前記１組のスナップボタンを嵌合することで前記ペンケースを壁面などに掛止する構造である、壁面掛止対応ペンケース。
【請求項２】
請求項１記載の壁面掛止対応ペンケースにおいて台座ａに代えて片面に接着剤等が塗布され該接着剤等と１本の針状物質により壁面等に固定される構造からなる台座ｃを備えた壁面掛止対応ペンケース。
【請求項３】
請求項１又は請求項２記載の台座ｂに代えて、蓋等としてペンケースの一部を構成する台座ｄを備え、台座ａ又は台座ｃに取り付けられたスナップボタンと対をなすスナップボタンが台座ｄに取り付けられた構造である壁面掛止対応ペンケース。
【発明の詳細な説明】
【技術分野】
【０００１】  この発明は、壁面に掛止することが出来る壁面掛止対応ペンケースに関するものである。
【背景技術】
【０００２】  従来、ペンケースは机上に置いて使用していた。しかし、ペンケースを机上に置くと、その分机上のスペースを割かれてしまうという問題があった。【０００３】  このような問題を解決する方法の１例として特許文献１に開示された起立可能な筆記具ケースが挙げられる。これは、筆記具ケースを開状態にしたときに前記筆記具ケースが起立可能となる構造の筆記具ケースであり、この場合、筆記具ケースが占める机上スペースが従来に比べ少なくて済むという利点がある。
【先行技術文献】
【特許文献】
【０００４】
【特許文献１】特許第４６１７５９７
【発明の概要】
【発明が解決しようとする課題】
【０００５】  しかし、特許文献１に示した従来例では、筆記具ケースを机上に置くことに変わりがなく、この場合、机上で動作させる腕部が前記筆記具ケースに触れないよう注意を払う必要がある。【０００６】  そこで、本発明において前記問題点を解決すべく、ペンケースを机上に置く必要がなく、更に使い勝手に支障をきたさぬよう手の届く範囲に掛止することが出来、掛止の際の取り付け、取り外しの操作が容易である壁面掛止対応型ペンケースを提供する。
【課題を解決するための手段】
【０００７】  第１の課題解決手段に係るペンケースは、筆記具などを収納するペンケースにおいて、片面に接着剤等が塗布され、壁面などに接着して使用するシート状又はプレート状の台座ａと１組のスナップボタンとペンケースと該ペンケースに取り付ける台座ｂからなり、該スナップボタンの雄部又は雌部が前記台座ａに取り付けられ、該スナップボタンの雄部又は雌部と対をなすスナップボタンが前記台座ｂに取り付けられ、前記１組のスナップボタンを嵌合することで前記ペンケースを壁面などに掛止する構造である、壁面掛止対応ペンケース（第１発明）である。【０００８】  ここで、第１発明に係るペンケースの１例として台座ａが幅２５ｍｍ、長さ６０ｍｍ、厚さ１ｍｍ程度の皮革製で、片面に、接着強さ５ｃｍ２あたり５０ｋｇ程度の両面テープが接着された構造であり、台座ｂが幅２０ｍｍ、長さ５０ｍｍ、厚さ１．５ｍｍ程度の皮革製でペンケースに取り付けられた構造からなり、台座ａにスナップボタン雄部が取り付けられ、台座ｂにスナップボタン雌部が取り付けられた壁面掛止対応ペンケースが挙げられる。【０００９】  第２の課題解決手段に係るペンケースは、第１発明に係る壁面掛止対応ペンケースにおいて台座ａに代えて片面に接着剤等が塗布され該接着剤等と１本の針状物質により壁面等に固定される構造からなる台座ｃを備えた壁面掛止対応ペンケース（第２発明）である。【００１０】  ここで、第２発明に係るペンケースの１例として台座ｃが幅１５ｍｍ、長さ２０ｍｍ、厚さ１ｍｍ程度の人工皮革の表面に布地を施し、片面に接着強さ５ｃｍ２あたり５０ｋｇ程度の両面テープが接着された構造であり、台座ｂが幅２０ｍｍ、長さ５０ｍｍ、厚さ１．５ｍｍ程度の人工皮革製でペンケースに取り付けられた構造からなり、台座ｃに針状物質が取り付けられたスナップボタン雄部が取り付けられ、台座ｂにスナップボタン雌部が取り付けられた壁面掛止対応ペンケースが挙げられる。【００１１】  第３の課題解決手段に係るペンケースは、第１発明又は第２発明に記載の台座ｂに代えて、蓋等としてペンケースの一部を構成する台座ｄを備え、台座ａ又は台座ｃに取り付けられたスナップボタンと対をなすスナップボタンが台座ｄに取り付けられた構造である壁面掛止対応ペンケース（第３発明）である。
【発明の効果】
【００１２】  前記ペンケースの掛止又は取り外し操作は日常的に行われることから、単純操作によることが可能な構造が適しており、また、ペンケースを掛止した状態での筆記具の出し入れ作業時にペンケースの掛止が外れて脱落しないよう、前記保持具と前記ペンケースが適度な係合力を有した状態で掛止されている必要がある。本発明の効果に、本発明品の掛止機構にスナップボタンを用いることにより、取り外しの際、本発明品をわずかな力で引っ張るのみで取り外し可能な操作性の良さと、適度な係止力を両立した係止機構を有する構造にある。【００１３】  ここで、鋼製面などに掛止する場合には針状物質を用いることが出来ないため、第１発明に係る壁面掛止対応ペンケースを用い、壁紙を使用している石膏ボード製壁面に掛止する場合には壁紙を損傷しないよう接着効果が少なくて済む第２発明に係る壁面掛止対応ペンケースを用いる。
【図面の簡単な説明】
【０００９】
【図１】請求項１及び請求項２に係る斜視図を示す。
【図２】請求項１及び請求項２に係る断面図を示す。
【図３】請求項３に係る斜視図を示す。
【発明を実施するための形態】
【００１０】  図１及び図２を用いて、請求項１及び請求項２に記載の本発明品の１形態を示す。
両面テープ（１）により壁面（２）に接着される台座ａ（３）にスナップボタン雄部（４）が取り付けられており、ペンケース（５）に取り付けられた台座ｂ（６）に該スナップボタン雄部（４）と対をなすスナップボタン雌部（７）が取り付けられた構造からなり、該スナップボタン雄部（４）と該スナップボタン雌部（７）を嵌合させることによりペンケース（５）を壁面（２）に掛止することが出来る。
【００１１】  ここで、石膏ボード製壁面（１０）にペンケースを掛止しようとした場合、強力な接着力により台座ａ（３）を壁面に固定すると、台座ａ（３）を壁面から外す際に壁紙を損傷してしまう恐れがある。そのため、石膏ボード製壁面（１０）にペンケースを掛止する場合には台座ａ（３）に代えて接着効果を抑えた台座ｃ（８）を用いる。台座ｃ（８）は両面テープ（１）と針状物質（９）により石膏ボード製壁面（１０）に固定する。この場合、ペンケースの自重による壁面と水平方向に加わる力に対しては針状物質（９）で担い、スナップボタンを外す際に加わる壁面と鉛直方向の力に対しては接着効果により担うことにより、接着効果を必要最小限に抑えることが出来る。
【００１２】  図３を用いて請求項３に記載の本発明品の１形態を示す。
ペンケース（５）の蓋としてペンケース（５）の一部を構成する台座ｄ（１１）にスナップボタン雌部（７）が取り付けられた構造からなる。
【符号の説明】
【００１１】  １  両面テープ
２  壁面
３  台座ａ
４  スナップボタン雄部
５  ペンケース
６  台座ｂ
７  スナップボタン雌部
８  台座ｃ
９  針状物質
１０  石膏ボード製壁面
１１  台座ｄ
【図１】
2019119189.tif 000003
【図２】
2019119189.tif 000004
【図３】
2019119189.tif 000005
【手続補正書】
【提出日】平成30年7月7日(2018.7.7)
【手続補正１】
【補正対象書類名】特許請求の範囲
【補正対象項目名】全文
【補正方法】変更
【補正の内容】
【特許請求の範囲】
【請求項１】
筆記具を収納するペンケースにおいて、片面に接着剤が塗布され、壁面に接着して使用するシート状又はプレート状の台座ａと１組のスナップボタンとペンケースと該ペンケースに取り付ける台座ｂからなり、該スナップボタンの雄部と雌部のうち一方が前記台座ａに取り付けられ、他方が前記台座ｂに取り付けられ、前記１組のスナップボタンを嵌合することで前記ペンケースを壁面に掛止する構造である、壁面掛止対応ペンケース。
【請求項２】
請求項１記載の壁面掛止対応ペンケースにおいて台座ａに代えて片面に接着剤が塗布され該接着剤と１本の針状物質により壁面に固定される構造からなる台座ｃを備えた壁面掛止対応ペンケース。
【請求項３】
請求項１又は請求項２記載の台座ｂに代えて、蓋としてペンケースの一部を構成する台座ｄを備え、台座ａ又は台座ｃに取り付けられたスナップボタンと対をなすスナップボタンが台座ｄに取り付けられた構造である壁面掛止対応ペンケース。
【手続補正２】
【補正対象書類名】明細書
【補正対象項目名】全文
【補正方法】変更
【補正の内容】
【発明の詳細な説明】
【技術分野】
【０００１】  この発明は、壁面に掛止することが出来る壁面掛止対応ペンケースに関するものである。
【背景技術】
【０００２】  従来、ペンケースは机上に置いて使用していた。しかし、ペンケースを上に置くと、その分机上のスペースを割かれてしまうという問題があった。【０００３】  このような問題を解決する方法の１例として特許文献１に開示された起立可能な筆記具ケースが挙げられる。これは、筆記具ケースを開状態にしたときに前記筆記具ケースが起立可能となる構造の筆記具ケースであり、この場合、筆記具ケースが占める机上スペースが従来に比べ少なくて済むという利点がある。
【先行技術文献】
【特許文献】
【０００４】
【特許文献１】特許第４６１７５９７
【発明の概要】
【発明が解決しようとする課題】
【０００５】  しかし、特許文献１に示した従来例では、筆記具ケースを机上に置くことに変わりがなく、この場合、机上で動作させる腕部が前記筆記具ケースに触れないよう注意を払う必要がある。【０００６】  そこで、本発明において前記問題点を解決すべく、ペンケースを机上に置く必要がなく、更に使い勝手に支障をきたさぬよう手の届く範囲に掛止することが出来、掛止の際の取り付け、取り外しの操作が容易である壁面掛止対応型ペンケースを提供する。
【課題を解決するための手段】
【０００７】  第１の課題解決手段に係るペンケースは、筆記具を収納するペンケースにおいて、片面に接着剤が塗布され、壁面に接着して使用するシート状又はプレート状の台座ａと１組のスナップボタンとペンケースと該ペンケースに取り付ける台座ｂからなり、該スナップボタンの雄部と雌部のうち一方が前記台座ａに取り付けられ、他方が前記台座ｂに取り付けられ、前記１組のスナップボタンを嵌合することで前記ペンケースを壁面に掛止する構造である、壁面掛止対応ペンケース（第１発明）である。【０００８】  ここで、第１発明に係るペンケースの１例として台座ａが幅２５ｍｍ、長さ６０ｍｍ、厚さ１ｍｍ程度の皮革製で、片面に、接着強さ５ｃｍ２あたり５０ｋｇ程度の両面テープが接着された構造であり、台座ｂが幅２０ｍｍ、長さ５０ｍｍ、厚さ１．５ｍｍ程度の皮革製でペンケースに取り付けられた構造からなり、台座ａにスナップボタン雄部が取り付けられ、台座ｂにスナップボタン雌部が取り付けられた壁面掛止対応ペンケースが挙げられる。【０００９】  第２の課題解決手段に係るペンケースは、第１発明に記載の壁面掛止対応ペンケースにおいて台座ａに代えて片面に接着剤が塗布され該接着剤と１本の針状物質により壁面に固定される構造からなる台座ｃを備えた壁面掛止対応ペンケース（第２発明）である。【００１０】  ここで、第２発明に係るペンケースの１例として台座ｃが幅１５ｍｍ、長さ２０ｍｍ、厚さ１ｍｍ程度の人工皮革の表面に布地を施し、片面に接着強さ５ｃｍ２あたり５０ｋｇ程度の両面テープが接着された構造であり、台座ｂが幅２０ｍｍ、長さ５０ｍｍ、厚さ１．５ｍｍ程度の人工皮革製でペンケースに取り付けられた構造からなり、台座ｃに針状物質が取り付けられたスナップボタン雄部が取り付けられ、台座ｂにスナップボタン雌部が取り付けられた壁面掛止対応ペンケースが挙げられる。【００１１】  第３の課題解決手段に係るペンケースは、第１発明又は第２発明に記載の台座ｂに代えて、蓋としてペンケースの一部を構成する台座ｄを備え、台座ａ又は台座ｃに取り付けられたスナップボタンと対をなすスナップボタンが台座ｄに取り付けられた構造である壁面掛止対応ペンケース（第３発明）である。
【発明の効果】
【００１２】  前記ペンケースの掛止又は取り外し操作は日常的に行われることから、単純操作によることが可能な構造が適しており、また、ペンケースを掛止した状態での筆記具の出し入れ作業時にペンケースの掛止が外れて脱落しないよう、前記保持具と前記ペンケースが適度な係合力を有した状態で掛止されている必要がある。本発明の効果に、本発明品の掛止機構にスナップボタンを用いることにより、取り外しの際、本発明品をわずかな力で引っ張るのみで取り外し可能な操作性の良さと、適度な係止力を両立した係止機構を有する構造にある。【００１３】  ここで、鋼製面などに掛止する場合には針状物質を用いることが出来ないため、第１発明に係る壁面掛止対応ペンケースを用い、壁紙を使用している石膏ボード製壁面に掛止する場合には壁紙を損傷しないよう接着効果が少なくて済む第２発明に係る壁面掛止対応ペンケースを用いる。
【図面の簡単な説明】
【００１４】
【図１】請求項１及び請求項２に係る斜視図を示す。
【図２】請求項１及び請求項２に係る断面図を示す。
【図３】請求項３に係る斜視図を示す。
【発明を実施するための形態】
【００１５】  図１及び図２を用いて、請求項１及び請求項２に記載の本発明品の１形態を示す。
両面テープ（１）により壁面（２）に接着される台座ａ（３）にスナップボタン雄部（４）が取り付けられており、ペンケース（５）に取り付けられた台座ｂ（６）に該スナップボタン雄部（４）と対をなすスナップボタン雌部（７）が取り付けられた構造からなり、該スナップボタン雄部（４）と該スナップボタン雌部（７）を嵌合させることによりペンケース（５）を壁面（２）に掛止することが出来る。
【００１６】  ここで、石膏ボード製壁面（１０）にペンケースを掛止しようとした場合、強力な接着力により台座ａ（３）を壁面に固定すると、台座ａ（３）を壁面から外す際に壁紙を損傷してしまう恐れがある。そのため、石膏ボード製壁面（１０）にペンケースを掛止する場合には台座ａ（３）に代えて接着効果を抑えた台座ｃ（８）を用いる。台座ｃ（８）は両面テープ（１）と針状物質（９）により石膏ボード製壁面（１０）に固定する。この場合、ペンケースの自重による壁面と水平方向に加わる力に対しては針状物質（９）で担い、スナップボタンを外す際に加わる壁面と鉛直方向の力に対しては接着効果により担うことにより、接着効果を必要最小限に抑えることが出来る。
【００１７】  図３を用いて請求項３に記載の本発明品の１形態を示す。
ペンケース（５）の蓋としてペンケース（５）の一部を構成する台座ｄ（１１）にスナップボタン雌部（７）が取り付けられた構造からなる。
【符号の説明】
【００１８】  １  両面テープ
２  壁面
３  台座ａ
４  スナップボタン雄部
５  ペンケース
６  台座ｂ
７  スナップボタン雌部
８  台座ｃ
９  針状物質
１０  石膏ボード製壁面
１１  台座ｄ